(57)【要約】      （修正有）【課題】各種仕様のトランスミッションに対応し、プロペラシャフトのトランスミッションへの組付けに際し容易にリフトアップすることができるリフタ装置、およびプロペラシャフトの組付け方法を提供する。【解決手段】門形に形成された枠体２を設け、その枠体２両端部の柱状メンバ２ａを被組付け車両のフレーム上面所定位置に据え付けるように形成し、その柱状メンバ２ａを連結する水平メンバ２ｂの中央部にエアシリンダ１を立設し、そのエアシリンダ１の下方に延びる先端部に吊り部５を介してフック６を取付け、水平メンバ２ｂのエアシリンダ１の両側方にフランジ付きのリニアブッシュ７を設け、そのリニアブッシュ７から下方に延びるリニアシャフト８の先端部で前記吊り部５を昇降自在に支持しており、組付けるプロペラシャフトに懸吊用紐体１０を巻き付けてフック６に掛けエアシリンダ１の作動によってプロペラシャフトをリフトアップするように構成する。【選択図】図１
2006231467.tif 000002
【特許請求の範囲】
【請求項１】
自動車の組立工程におけるプロペラシャフトの組付け用リフタ装置であって、門形に形成された枠体を設け、その枠体両端部の柱状メンバを被組付け車両のフレーム上面所定位置に据え付けるように形成し、その柱状メンバを連結する水平メンバの中央部にエアシリンダを立設し、そのエアシリンダの下方に延びる先端部に吊り部を介してフックを取付け、水平メンバの前記エアシリンダの両側方にフランジ付きのリニアブッシュを設け、そのリニアブッシュから下方に延びるリニアシャフトの先端部で前記吊り部を昇降自在に支持しており、組付けるプロペラシャフトに懸吊用紐体を巻き付けて前記フックに掛けエアシリンダの作動によってプロペラシャフトをリフトアップするように構成されていることを特徴とするプロペラシャフトの組付け用リフタ装置。
【請求項２】
自動車の組立工程におけるプロペラシャフトの組付け方法において、プロペラシャフトを懸吊しエアシリンダを使用してリフトアップするリフタ装置を所定位置に配置しておき、被組付け車両のフレーム上にそのリフタ装置をセットしてエアホースを接続し、エアシリンダを作動し最下限まで下降させ、組付けるプロペラシャフトに懸吊用紐体を巻き掛けてエアシリンダ先端のフックに掛け、エアシリンダを作動させて所定の上限位置まで上昇させ、さらに上下方向の微調整を行ってプロペラシャフトの接続端とトランスミッションの接続部との位置合わせを行い、プロペラシャフトの接続端をナットで仮止めして懸吊用紐体を取り外し、そしてエアホースを取り外してリフタ装置の取り外しを行い、ナットの本締めを行う各工程を有していることを特徴とするプロペラシャフトの組付け方法。
【発明の詳細な説明】
【技術分野】
【０００１】
本発明は、自動車組立工程におけるプロペラシャフトの組付け用リフタ装置、およびそのリフタ装置を使用したプロペラシャフトの組付け方法に関する。
【背景技術】
【０００２】
自動車組立工場における商用車（大型トラック）の組立て作業は、コンベヤ上にまずフレームを載置し、そのフレームにサブ組立てされたユニット等を順次組付けて組立が行われている。
従来、トランスミッションと車軸とを連結するプロペラシャフトの組付け作業は、車軸側にプロペラシャフトの一端を組付け、次にその他端をトランスミッション側に組付けている。
【０００３】
図５に示すように、トランスミッションＭはエンジンＥに組付けられた状態でフレームＦの左右サイドレール間に吊り降ろされ、そこで、プロペラシャフトＰの他端側（ａ）を所定位置までリフトアップし、端部のフランジヨークＰ１をナットで締め付けて組付けが行われている。
【０００４】
この作業では、プロペラシャフトＰは、重量物であるので動力によってリフトアップが行われており、しかも、プロペラシャフトＰはフレームサイドレール間の下方にレイアウトされているので、リフタ装置をその下方に挿入してリフトアップを行うためには、高さが低く、かつ十分なリフト量が必要であり、従来、図６に示すようなエアシリンダ１Ａで作動するいわゆるパンダグラフ方式のリフタＬ１が使用されていた。
【０００５】
一方、トランスミッションは多様化し、例えば、自動変速装置やリターダの取付けなど各種の仕様が採用されるようになり、その外形形状や寸法等も多種となり前記リフタでは対応が困難となる事例が生じるようになった。
【０００６】
前出の図５に示す例は、流体式リターダＲを有するトランスミッションＭの例であり、その後端下方側にはプロペラシャフトＰの取付面ａより突出した部分ｒを有しており、そのため、プロペラシャフトＰの取付けに際してリフタを当てがうスペースがなく、前記図６に示した従来のリフタ装置Ｌ１では、平面視での寸法形状が大で使用することができない。
【０００７】
なお、組立工程において、組付ける部品等を動力装置（リフタ）を用いて所定位置に搬送し組付ける技術としては、特許文献１および特許文献２が開示されているが、これらの文献記載の発明は、プロペラシャフトの組付けに適用して上記問題点を解消できるものではない。
【特許文献１】特開平８−１９７３５３号公報
【特許文献２】特開平１０−１５１２７８号公報
【発明の開示】
【発明が解決しようとする課題】
【０００８】
本発明は、上記の問題点に対処するものであり、各種仕様のトランスミッションに対応し、プロペラシャフトのトランスミッション側への接続に際して容易にリフトアップすることができるリフタ装置、およびそのリフタ装置を使用したプロペラシャフトの組付け方法を提供することを目的としている。
【課題を解決するための手段】
【０００９】
本発明のプロペラシャフト組付け用リフタ装置は、自動車の組立工程におけるプロペラシャフトの組付け用リフタ装置（Ｌ）であって、門形に形成された枠体（２）を設け、その枠体（２）両端部の柱状メンバ（２ａ、２ａ）を被組付け車両のフレーム（Ｆ）上面所定位置に据え付けるように形成し、その柱状メンバ（２ａ、２ａ）を連結する水平メンバ（２ｂ）の中央部にエアシリンダ（１）を立設し、そのエアシリンダ（１）の下方に延びる先端部に吊り部（５）を介してフック（６）を取付け、水平メンバ（２ｂ）の前記エアシリンダ（１）の両側方にフランジ付きのリニアブッシュ（７、７）を設け、そのリニアブッシュ（７）から下方に延びるリニアシャフト（８）の先端部で前記吊り部（５）を昇降自在に支持しており、組付けるプロペラシャフトに懸吊用紐体（１０）を巻き付けて前記フック（６）に掛けエアシリンダ（１）の作動によってプロペラシャフトをリフトアップするように構成されている。
【００１０】
前記リフタ装置の枠体は軽合金製であるのが好ましい。
【００１１】
本発明のプロペラシャフト組付け方法は、自動車の組立工程におけるプロペラシャフト組付け方法において、プロペラシャフトを懸吊しエアシリンダ（１）を使用してリフトアップするリフタ装置（Ｌ）を所定位置に配置しておき、被組付け車両のフレーム（Ｆ）上にそのリフタ装置（Ｌ）をセットしてエアホース（図示なし）を接続し、エアシリンダ（１）を作動し最下限まで下降させ、組付けるプロペラシャフトに懸吊用紐体（１０）を巻き掛けてエアシリンダ（１）先端のフック（６）に掛け、エアシリンダ（１）を作動させて所定の上限位置まで上昇させ、さらに上下方向の微調整を行ってプロペラシャフトの接続端とトランスミッションの接続部との位置合わせを行い、プロペラシャフトの接続端をナットで仮止めして懸吊用紐体（１０）を取り外し、そしてエアホースを取り外してリフタ装置（Ｌ）の取り外しを行い、ナットの本締めを行う各工程を有している。
【発明の効果】
【００１２】
本発明によれば、以下の作用効果を奏する。
（１）  被組付け車両のフレーム上にリフタ装置を据え付け、プロペラシャフトを懸吊してリフトアップするので、プロペラシャフト周辺のスペースが狭くても容易に対応できる。したがって、各種仕様、例えば流体式リターダ付きなどのトランスミッションに対応が可能である。
（２）  構造が簡単であり、枠体を軽合金製とすれば、フレーム上への据え付けが容易であり、かつ簡単な移動式置き台に搭載して容易に作業場所へ搬送できる。
（３）  ラインサイドから片持ち方式の吊り具によって懸吊するのではないので安定した状態でリフトアップできる。
（４）  また、本発明のプロペラシャフト組付け用リフタ装置およびプロペラシャフト組付け方法は、自動車製造工場における組立作業に限らず、整備工場などにおけるプロペラシャフトの組付け、および取外しに際しても適用することができる。
【発明を実施するための最良の形態】
【００１３】
以下、図面を参照して本発明の実施形態を説明する。
図１および図２において、全体を符号Ｌで示すリフタ装置には、軽合金製の枠体２が門形に形成されており、その両端の柱状メンバ２ａ、２ａの下端部は組付ける車両のフレームの左右サイドレールＦ１、Ｆ２上面にそれぞれ据え付けられるようにフランジ形状に形成されている。
【００１４】
また、その柱状メンバ２ａ、２ａの頂部を互いに連結する水平メンバ２ｂの中央部には、下方向に伸縮するエアシリンダ１が立設されており、そのエアシリンダ１から下方に延びる先端部には、吊り部５を介してフック６が取り付けられ、シリンダ１の伸縮によってフック６が昇降自在になっている。そして、水平メンバ２ｂの前記エアシリンダ１の左右方向（水平メンバの長手方向）両側方には、フランジ付きリニアブッシュ７、７が取り付けられており、そのブッシュ７は、下方に延びるリニアシャフト８の先端部で前記吊り部５を支持し、昇降の案内になっている。
なお、図における符号３は昇降操作を行うためのスイッチ部を示し、符号４はそのスイッチ操作によってエアシリンダ１を作動させるバルブ類を示している。
【００１５】
また、図３は、上記リフタ装置Ｌの置き台９を示している。その上部にリフタ装置Ｌを載置し、キャスタ９ａを有して移動可能であり、車両の組立ラインサイドに置かれている。
【００１６】
上記構成により、このリフト装置Ｌは、フレームサイドレールＦ１、Ｆ２上の組付けられるプロペラシャフトＰの上方位置に据え付けられ、プロペラシャフトＰに巻き掛けたナイロンスリング（懸吊用紐体）１０の一端を前記フック６に掛け、エアシリンダ１の作動によってプロペラシャフトＰをリフトアップする。
【００１７】
、
次に、図４を参照し、前記リフタ装置Ｌを用いたプロペラシャフトの組付け方法の手順を説明する。
リフタ装置Ｌは、車両の組立工場のプロペラシャフト組付けを行うラインサイドに置き台９上に載せて配置される。まず組付けする車両のフレームＦ上のリフトアップするプロペラシャフトＰ上方の所定位置にそのリフタ装置Ｌをセットし（ステップＳ１）、そのリフタ装置Ｌに圧縮空気を供給するエアホース（図示なし）を接続する（ステップＳ２）。
そして、エアシリンダ１を作動して最下限まで下降させ（ステップＳ３）、組付けるプロペラシャフトＰにナイロンスリング（懸吊用紐体）１０を巻き付けてエアシリンダ１先端のフック６に掛ける（ステップＳ４）。
次に、エアシリンダ１を作動させて所定の上限位置まで上昇させ（ステップＳ５）、さらに上下方向の微調整を行ってプロペラシャフトＰの接続端とトランスミッションＭの接続部との位置合わせを行い（ステップＳ６）、プロペラシャフトＰの接続端をナット（図示なし）で仮止めしてナイロンスリング１０を取り外し（ステップＳ７）、そして、エアホースを取り外してリフタ装置Ｌを台車９上に戻し、ナットの本締め付けを行う（ステップＳ８）。
【図面の簡単な説明】
【００１８】
【図１】本発明によるプロペラシャフト組付け用リフタ装置を示す正面図。
【図２】図１の側面図。
【図３】リフタ装置の置き台を示す側面図。
【図４】本発明のプロペラシャフト組付け方法の手順を示すフロー図。
【図５】車両搭載状態でのトランスミッションと組付けるプロペラシャフトとの関係の説明図。
【図６】従来のリフタ装置を示す側面図。
【符号の説明】
【００１９】
１・・・エアシリンダ
２・・・枠体
５・・・吊り部
６・・・フック
７・・・フランジ付きリニアブッシュ
８・・・リニアシャフト
９・・・置き台
１０・・・ナイロンスリング（懸吊用紐体）
Ｌ・・・リフタ装置
Ｆ・・・フレーム
Ｐ・・・プロペラシャフト
【図１】
2006231467.tif 000003
【図２】
2006231467.tif 000004
【図３】
2006231467.tif 000005
【図４】
2006231467.tif 000006
【図５】
2006231467.tif 000007
【図６】
2006231467.tif 000008